【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
収納容器（８０）を密栓するスクリューキャップ（１）であって、
板状に形成された天板部（７）と、前記天板部の外周から一方向に向けて突出した筒状のスカート部（９）と、前記収納容器に設けられたネジと螺号するように前記スカート部の内周に沿ってネジが切られたネジ部（１３）とを有したキャップ本体（５）と、
環状に形成されたタンパーエビデンスバンド（１５）であって、前記キャップ本体のスカート部において、前記天板部とは反対側の端部と破断可能な第１ブリッジ（１７）を介して接続され、かつ、当該タンパーエビデンスバンドの内周から、径方向に沿った内側に向けて突出する少なくとも１つの片である係止片（１９）を有すると共に、前記収納容器の規定された部位に開栓方向に沿って回転するように取り付けられるタンパーエビデンスバンドと、
前記タンパーエビデンスバンドから、径方向の外側に向けて突出した少なくとも１つの突起である突起部（２７）と、
を備えることを特徴とするスクリューキャップ。
【請求項２】
前記タンパーエビデンスバンドに設けられた破断可能な第２ブリッジを有した少なくとも１つの弱化線（３５，３７）を備えることを特徴とする請求項１に記載のスクリューキャップ。
【請求項３】
前記弱化線は、
前記キャップ本体の開栓方向に沿って、前記突起部に隣接して設けられている
ことを特徴とする請求項２に記載のスクリューキャップ。
【請求項４】
前記弱化線は、
前記突起部を挟み込むように少なくとも２つ設けられ、
前記弱化線のうち、前記突起部に対して前記キャップ本体の開栓方向に沿って隣接するように設けられた弱化線を第１弱化線と称し、前記弱化線のうち、前記突起部に対して前記キャップ本体の閉栓方向に沿って隣接するように設けられた弱化線を第２弱化線と称し、
前記第１弱化線は、
前記第２弱化線に比べて弱い力、もしくは前記第２弱化線と同等の力で破断するように前記第２ブリッジが形成されている
ことを特徴とする請求項２または請求項３に記載のスクリューキャップ。
【請求項５】
前記係止片は、
前記収納容器の外周から、径方向に沿った外側に向けて突出する環状の接合部（９０）との間に、前記キャップ本体の回転方向と直交する方向に沿った隙間を有するように形成されている
ことを特徴とする請求項１から請求項４までのいずれか一項に記載のスクリューキャップ。
【請求項６】
前記係止片は、
前記接合部との係合力が規定値以上となる構造であることを特徴とする請求項５に記載のスクリューキャップ。
【請求項７】
前記突起部は、
前記タンパーエビデンスバンドの外周から径方向に沿った外側に向けての突出量が、前記収納容器の外径よりも短い
ことを特徴とする請求項１から請求項６までのいずれか一項に記載のスクリューキャップ。
【請求項８】
前記突起部は、
前記タンパーエビデンスバンドの外周から径方向に沿った外側に向けての突出量が、前記天板部の外周と前記収納容器の外周とを結ぶ直線よりも内側となるように形成されている
ことを特徴とする請求項１から請求項７までのいずれか一項に記載のスクリューキャップ。
【請求項９】
前記突起部は、
複数の突起を備えることを特徴とする請求項１から請求項８までのいずれか一項に記載のスクリューキャップ。
【請求項１０】
前記キャップ本体には、
ローレット加工が施されていることを特徴とする請求項１から請求項９までのいずれか一項に記載のスクリューキャップ。
【請求項１１】
前記突起部には、
ローレット加工が施されていることを特徴とする請求項１から請求項１０までのいずれか一項に記載のスクリューキャップ。
【請求項１２】
前記突起部は、
前記タンパーエビデンスバンドとの接続部分が湾曲した面状に形成されていることを特徴とする請求項１から請求項１１までのいずれか一項に記載のスクリューキャップ。
【請求項１３】
クランプにより前記収納容器に螺着されることを特徴とする請求項１から請求項１２までのいずれか一項に記載のスクリューキャップ。
【請求項１４】
前記収納容器は、
ペットボトルであることを特徴とする請求項１から請求項１３までのいずれか一項に記載のスクリューキャップ。
【手続補正２】
【補正対象書類名】明細書
【補正対象項目名】０００４
【補正方法】変更
【補正の内容】
【０００４】
ＴＥバンドは、収納容器が開封済みであるか否かを判定する目的で設けられた、環状のバンドである。このＴＥバンドは、キャップ本体のスカート部における、天板とは反対側の端部と破断可能なブリッジを介して接続されている。さらに、ＴＥバンドは、収納容器の外周から径方向に沿って外側に向けて突出する環状の接合部よりも、収納容器の下方に取り付けられる。すなわち、このＴＥバンドは、スクリューキャップ自体が開栓方向に回動され、収納容器の上方へと移動すると、ブリッジが破断する。換言すれば、ＴＥバンドは、ブリッジが破断していれば、開封済みであり、ブリッジが破断していなければ、未開封であることを意味する。
【手続補正３】
【補正対象書類名】明細書
【補正対象項目名】０００５
【補正方法】変更
【補正の内容】
【０００５】
突起部は、キャップ本体のスカート部から、径方向の外側に向けて突出する４個以上の突起である。
【手続補正４】
【補正対象書類名】明細書
【補正対象項目名】０００７
【補正方法】変更
【補正の内容】
【０００７】
特許文献１に記載されたスクリューキャップによれば、突起部が形成されているため、スクリューキャップを開栓または閉栓する場合に、そのスクリューキャップへの利用者の指の掛かりを良くすることができる。
【手続補正５】
【補正対象書類名】明細書
【補正対象項目名】０００８
【補正方法】変更
【補正の内容】
【０００８】
しかしながら、特許文献１に記載されたスクリューキャップにおいては、キャップ本体に突起部が形成されているため、収納容器を開封した後にスクリューキャップを取り外す場合等に突起が邪魔になり、スクリューキャップの開閉が容易ではない。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
そこで、本発明は、スクリューキャップにおいて、開閉を容易なものとすることを目的とする。
【手続補正８】
【補正対象書類名】明細書
【補正対象項目名】００１１
【補正方法】変更
【補正の内容】
【００１１】
上記目的を達成するためになされた本発明は、収納容器（８０）を密栓するスクリューキャップ（１）に関する。
本発明のスクリューキャップは、キャップ本体（５）と、タンパーエビデンスバンド（１５）と、突起部（２７）とを備えている。
【手続補正９】
【補正対象書類名】明細書
【補正対象項目名】００１３
【補正方法】変更
【補正の内容】
【００１３】
タンパーエビデンスバンドは、環状に形成された部材であって、キャップ本体のスカート部において、天板部とは反対側の端部と破断可能な第１ブリッジ（１７）を介して接続され、かつ、当該タンパーエビデンスバンドの内周から、径方向に沿った内側に向けて突出する少なくとも１つの片である係止片（１９）を有すると共に、収納容器の規定された部位に開栓方向に沿って回転するように取り付けられている。
【手続補正１０】
【補正対象書類名】明細書
【補正対象項目名】００１４
【補正方法】変更
【補正の内容】
【００１４】
また、突起部は、タンパーエビデンスバンドから、径方向の外側に向けて突出した少なくとも１つの突起である。
【手続補正１１】
【補正対象書類名】明細書
【補正対象項目名】００１６
【補正方法】変更
【補正の内容】
【００１６】
そのキャップ本体は、回転することによって、収納容器に設けられたネジに沿って、上方（即ち、開栓される方向）へと移動する。このキャップ本体の移動によって、収納容器からキャップ本体を取り外すことができ、収納容器の開封を容易なものとすることができる。
【手続補正１２】
【補正対象書類名】明細書
【補正対象項目名】００１８
【補正方法】変更
【補正の内容】
【００１８】
本発明のスクリューキャップは、少なくとも１つの弱化線（３５，３７）を備えていても良い。弱化線は、タンパーエビデンスバンドに設けられた破断可能な第２ブリッジを有している。この弱化線は、収納容器を密栓した状態のスクリューキャップを上方へと強引に引き抜くと、破断する。したがって、本発明のスクリューキャップによれば、収納容器の上方へとスクリューキャップを引き抜くといった方法によって、収納容器が不正に開封された場合、タンパーエビデンスバンドが収納容器から外れた状態となる。
【手続補正１３】
【補正対象書類名】明細書
【補正対象項目名】００１９
【補正方法】変更
【補正の内容】
【００１９】
この結果、本発明のスクリューキャップによれば、収納容器が、不正に開封されたか否かの判定精度を向上させることができる。
つまり、本発明のスクリューキャップによれば、開閉を容易なものとすることと、不正に開封されたか否かの判定精度を向上させることとを両立させることができる。
【手続補正１４】
【補正対象書類名】明細書
【補正対象項目名】００５７
【補正方法】変更
【補正の内容】
【００５７】
つまり、スクリューキャップ１によれば、収納容器８０の使用者は、突起部２７に指を掛けて、梃子の作用により、スクリューキャップ１自体を回転させることができるため、スクリューキャップ１自体に力を伝達しやすい。この結果、スクリューキャップ１によれば、収納容器８０の開封を容易なものとすることができる。
【手続補正１５】
【補正対象書類名】明細書
【補正対象項目名】００６０
【補正方法】変更
【補正の内容】
【００６０】
この結果、スクリューキャップ１によれば、収納容器８０が、不正に開封されたか否かを判定できる。
つまり、スクリューキャップ１によれば、開閉を容易なものとすることと、不正に開封されたか否かの判定精度を向上させることとを両立させることができる。